(57)【要約】【課題】鉢底ネットや鉢底石を用いなくても、根腐れが起こりにくく、植栽作業を容易に行えるとともに、あまり屈んだりすることなく植栽された草花の手入れを行ったり、車椅子に乗った老人や障害のある人でも草花の手入れが容易となるプランターを提供することを目的としている。【解決手段】植物培養土を入れる容器部１１を有するプランター本体１と、容器部１１底面とプランター設置面との間に通気空間を形成するようにプランター本体１を支持する支持脚部２を備えるプランターＡであって、プランター本体１が、折り畳み可能なシート状材料から形成されていて、容器部１１全体が透水性および通気性を有するとともに、容器部１１の外層１１ａが保水性を有しており、かつ、支持脚部２から分離可能になっていることを特徴としている。【選択図】      図１
2015092842.tif 000002
【特許請求の範囲】
【請求項１】
植物培養土を入れる容器部を有するプランター本体と、前記容器部底面とプランター設置面との間に通気空間を形成するように前記プランター本体を支持する支持脚部を備えるプランターであって、
前記プランター本体が、折り畳み可能な可撓性シート状材料から形成されていて、少なくとも容器部全体が透水性および通気性を有するとともに、少なくとも容器部外層側が保水性を有しており、かつ、前記支持脚部から分離可能になっていることを特徴とするプランター。
【請求項２】
容器部は、不織布からなる外層と、透水性および通気性を有し、前記不織布より強度が高い合成樹脂シートからなる内層を備えている請求項１に記載のプランター。
【請求項３】
プランター本体が、容器部と、この容器部の開口周縁に沿って設けられた複数の脚部係止部を有し、
支持脚部が、前記脚部係止部が係止されて、前記容器部を上部開口状態に保持する係止受部を有する請求項１または請求項２に記載のプランター。
【請求項４】
支持脚部が、脚部本体部材と、脚部本体部材に着脱自在で、装着状態で容器部の底を受ける格子状あるいは金網状をした容器部受部材とを備え、
前記脚部本体部材が容器部受部材を取り外した状態で略偏平に折り畳み可能に形成されている請求項１〜請求項３のいずれかに記載のプランター。
【請求項５】
脚部本体部材は、一対の第１平行脚と、２つの第１平行脚の一端部同士を連結するように設けられ、脚部係止部が係止される棒状の第１係止受部を有する第１脚部材と、
一対の第２平行脚と、２つの第２平行脚の一端部同士を連結するように設けられ、脚部係止部が係止される棒状の第２係止受部を有する第２脚部材と備え、
前記第１脚部材と第２脚部材とは、第１平行脚と、第２平行脚が交差し、交差部で交差角を変更可能に軸支されているとともに、
第１係止受部の一端あるいはその近傍と第２係止受部の一端あるいはその近傍、第１係止受部の他端あるいはその近傍と第２係止受部の他端あるいはその近傍が、それぞれ中央に関節を有し、伸長状態で前記交差角がプランター本体を支持する交差角となるように位置規制する位置規制リンクによって連結されている請求項４に記載のプランター。
【請求項６】
脚部係止部が、第１係止受部、第２係止受部および位置規制リンクに係止される請求項５に記載のプランター。
【請求項７】
第１脚部材が交差部より第１係止受部側に第１係止受部と平行に設けられた第１容器部受部材支持バーを有し、
第２脚部材が交差部より第２係止受部側に第２係止受部と平行に設けられた第２容器部受部材支持バーを有し、
容器部受部材が、前記第１容器部受部材支持バーと第２容器部受部材支持バーの間に掛け渡される請求項５または請求項６に記載のプランター。
【発明の詳細な説明】
【技術分野】
【０００１】
本発明は、プランターに関する。
【背景技術】
【０００２】
意匠性を考慮したり、あまり屈んだりすることなく植栽された草花の手入れを行ったり、車椅子に乗った老人や障害のある人でも手入れが容易となるように、プランター本体を専用の支持脚部（スタンド）を用いて高所に配置することが提案されている（例えば、特許文献１参照）。
【０００３】
そして、プランター本体の底には、培養土に余剰の水が溜まりらないように、余剰の水を排水する水抜き孔が底に設けられている。
また、従来の陶器やプラスチック成形品の直置き型のプランター（植木鉢）と同様に、
水抜き孔の上には鉢底ネットを設けて培養土が水抜き孔から漏れでないようにするとともに、根腐れ防止のため、その上に鉢底石を入れたのち、培養土を入れることが一般的である。
【先行技術文献】
【特許文献】
【０００４】
【特許文献１】特開2004-267009号公報
【発明の概要】
【発明が解決しようとする課題】
【０００５】
しかし、上記のように、根腐れ防止のため、培養土を入れる前に鉢底ネットや鉢底石をセットする作業は面倒であるとともに、培養土を入れ替える際には、鉢底石を篩い分けなければならない。
また、培養土を入れる前に、金属製の板状部材を組み合わせて上記プランター本体を形成しなければならないので面倒であるとともに、重いという問題がある。
一方、プランター本体を従来の樹脂成形品や陶器等の無機材料成形品とした場合、搬送や保管時に嵩張るという問題がある。
【０００６】
本発明は、上記事情に鑑みて、鉢底ネットや鉢底石を用いなくても、根腐れが起こりにくく、植栽作業を容易に行えるとともに、あまり屈んだりすることなく植栽された草花の手入れを行ったり、車椅子に乗った老人や障害のある人でも草花の手入れが容易となるプランターを提供することを目的としている。
【課題を解決するための手段】
【０００７】
上記目的を達成するために、本発明にかかるプランター（以下、「本発明のプランター」と記す）は、植物培養土を入れる容器部を有するプランター本体と、前記容器部底面とプランター設置面との間に通気空間を形成するように前記プランター本体を支持する支持脚部を備えるプランターであって、前記プランター本体が、折り畳み可能なシート状材料から形成されていて、少なくとも容器部全体が透水性および通気性を有するとともに、少なくとも容器部外層側が保水性を有しており、かつ、前記支持脚部から分離可能になっていることを特徴としている。
【０００８】
本発明のプランターは、例えば、容器部の全体を、不織布等の保水性を有するシート状材料を縫製あるいは接着や融着することによって形成してもよいが、不織布からなる外層と、透水性および通気性を有し、前記不織布より強度が高い合成樹脂シートからなる内層を備えている構成とすることが好ましい。
すなわち、直接培養土に触れる容器部の内層が不織布の合成樹脂より強度が高い合成樹脂シートで形成されているので、培養土から容器部にかかる荷重がこの内層で受けられる。したがって、不織布を薄肉化しても容器部本体が十分な強度を確保できる。
【０００９】
不織布としては、透水性および通気性を有するとともに、根腐れを起こさない適度な保水性を確保することがその材質は特に限定されず、たとえば、綿、麻、パルプ等の天然繊維、レーヨン、ナイロン、ポリエステル、ポリエチレン、ポリプロピレン、ポリ塩化ビニル、ポリウレタン、ビニロン、アクリル繊維等の化学繊維や、これらの混合物が挙げられる。ただ、かびが発生しないあるいは発生しにくいことから、天然繊維よりも化学繊維が好ましく、中でもポリプロピレンやポリエステル繊維が好適である。
合成樹脂シートとしては、透水性および通気性を備え、不織布より強度があり、折り畳みの障害にならないものであれば特に限定されないが、例えば、ナイロンやポリエステルのメッシュシートが挙げられる。
【００１０】
本発明のプランターは、プランター本体が、容器部と、この容器部の開口周縁に沿って設けられた複数の脚部係止部を有し、支持脚部が、前記脚部係止部が係止されて、前記容器部を上部開口状態に保持する係止受部を有する構成とすることが好ましい。
【００１１】
また、本発明のプランターは、支持脚部が、脚部本体部材と、脚部本体部材に着脱自在で、装着状態で容器部の底を受ける格子状あるいは金網状をした容器部受部材とを備え、
前記脚部本体部材が容器部受部材を取り外した状態で略偏平に折り畳み可能に形成されていることが好ましい。
すなわち、支持脚部も不使用時や搬送時にコンパクトにできるとともに、容器部の底にかかる荷重が金網状受部部材に受けられるので、プランター本体の強度は低くても構わない。したがって、プランター本体をより薄肉のシート材料で形成して、より折り畳みが容易であるとともに軽量でコンパクトにできる。
【００１２】
上記脚部本体部材は、一対の第１平行脚と、２つの第１平行脚の一端部同士を連結するように設けられ、脚部係止部が係止される棒状の第１係止受部を有する第１脚部材と、一対の第２平行脚と、２つの第２平行脚の一端部同士を連結するように設けられ、脚部係止部が係止される棒状の第２係止受部を有する第２脚部材と備え、前記第１脚部材と第２脚部材とは、第１平行脚と、第２平行脚が交差し、交差部で交差角を変更可能に軸支されているとともに、第１係止受部の一端あるいはその近傍と第２係止受部の一端あるいはその近傍、第１係止受部の他端あるいはその近傍と第２係止受部の他端あるいはその近傍が、それぞれ中央に関節を有し、伸長状態で前記交差角がプランター本体を支持する交差角となるように位置規制する位置規制リンクによって連結されている構成とすることができる。
【００１３】
また、上記脚部係止部が、第１係止受部、第２係止受部および位置規制リンクに係止される構成とすることができる。
さらに、第１脚部材が交差部より第１係止受部側に第１係止受部と平行に設けられた第１容器部受部材支持バーを有し、第２脚部材が交差部より第２係止受部側に第２係止受部と平行に設けられた第２容器部受部材支持バーを有し、金網状受部材が、前記第１容器部受部材支持バーと第２容器部受部材支持バーの間に掛け渡されるようにする構成とすることができる。
【発明の効果】
【００１４】
本発明のプランターは、植物培養土を入れる容器部を有するプランター本体と、前記容器部底面とプランター設置面との間に通気空間を形成するように前記プランター本体を支持する支持脚部を備えるプランターであって、前記プランター本体が、折り畳み可能なシート状材料から形成されていて、少なくとも容器部全体が透水性および通気性を有し、少なくとも容器本体外層側が保水性を有しており、かつ、前記支持脚部から分離可能になっているので、以下のような優れた効果を有する。
【００１５】
すなわち、プランター本体が、透水性および通気性を有する折り畳み可能なシート状材料によって形成され、容器部底面下方に通気空間が形成されているので、鉢底石を入れなくても植物の生育が良好なものとなるとともに、容器部の側壁全体で通気性を確保できるので、根腐れを起こしにくくなる。
また、少なくとも容器部の外層が保水性を備えているので、余剰の水を保水し、長時間プランター内の培養土を程度な湿度に保持することができ、植物の生育を安定させることができるとともに、プランターへの散水回数を少なくすることができる。
【００１６】
容器部に鉢底石を入れなくてもいいので、培養土の入れ替え作業が容易となるとともに、使用済みの培養土と鉢底石と分離する等の手間が不要である。
また、搬送時や不使用時には、培養土を取り除けばプランター本体を支持脚部から分離してコンパクトに折り畳んで搬送することができる上、保管スペースをとらない。
しかも、折り畳まれているだけであるので、広げて支持脚部にセットするだけでよく、組立も容易である。
【図面の簡単な説明】
【００１７】
【図１】本発明にかかるプタンターの１つの実施の形態をあらわす一部切欠斜視図である。
【図２】図１のプランターの分解斜視図である。
【図３】図１のプランターの正面図である。
【図４】図１のプランターの底面図である。
【図５】図３のＡ−Ａ断面図である。
【図６】図４のB部拡大図である。
【図７】図１のプランターの脚部本体部材を折り畳んだ状態を側面から見てあらわす図である。
【図８】図１のプランターの使用状態の１例をあらわす斜視図である。
【図９】本発明のプランターの効果を従来のプランターのと対比してあらわす概念図である。
【発明を実施するための形態】
【００１８】
以下に、本発明を、その実施の形態をあらわす図面を参照しつつ詳しく説明する。
図１〜図８は、本発明のプランターの１つの実施の形態をあらわしている。
【００１９】
図１〜図５に示すように、このプランターＡは、プランター本体１と、支持脚部２を備えている。
プランター本体１は、図２に示すように、容器部１１と、４つの脚部係止部１２〜１５とを備えている。
【００２０】
容器部１１は、平面視略長方形をした上部開口に向かって大きくなる長四角錐台形状をしていて、図６に示すように、外層１１ａと、外層１１ａの内側を外層１１ａの上縁より少し低い位置から外層１１ａの内側全体を覆うように形成された内層１１ｂとを備えている。
外層１１ａは、ポリプロピレンやポリエステル等のシート状不織布（厚さ０．５〜１．５ｍｍで形成されていて、４つの脚部係止部１２〜１５が、上部開口の長方形の各辺から延出するように設けられている。
【００２１】
外層１１ａの外壁面には、面状ファスナーのフック材（またはループ材）１６が固定されている。
内層１１ｂは、外層１１ａを構成する不織布より引張強度が高い、ポリエステルやナイロン製のメッシュシートで形成されていて、その上端縁が、外層１１ａに縫着されている。
内層１１を形成するメッシュシートは、容器部１の底側長手辺部を除き、長四角錐台
【００２２】
脚部係止部１２〜１５は、それぞれ外層１１ａを展開状態でシート状不織布原反から打ち抜きあるいは切り抜く際に外層１１ａの展開体とともに一体に切り抜かれて外層１１ａに連続して設けられている。
脚部係止部１２〜１５の先端部には、それぞれ外層１１ａの面状ファスナーのフック材（またはループ材）１６に対応する位置に面状ファスナーのループ材（またはフック材）１７が固定されている。
【００２３】
支持脚部２は、脚部本体部材３と、容器部受部材４とを備えている。
脚部本体部材３は、第１脚部材３１と、第２脚部材３２と、１対の第１位置規制リンク３３と、１対の第２位置規制リンク３４とから形成されている。
【００２４】
第１脚部材３１は、一対の第１平行脚３１ａと、第１係止受部３１ｂと、第１容器部受部材支持バー３１ｃと、２本の上部補強バー３１ｄと、下部補強バー３１ｅを備えている。
２本の第１平行脚３１ａは、鋼管から形成されていて、上端に頭部樹脂キャップ３６がはめ込まれ、下端に脚部樹脂キャップ３７がはめ込まれている。
【００２５】
第１係止受部３１ｂは、鋼管から形成されていて、２本の第１平行脚３１ａの一端（プランターの上端側）近傍で端部が第１平行脚３１ａにそれぞれ溶接固定されている。
第１容器部受部材支持バー３１ｃは、第１係止受部３１ｂと同じ長さの鋼管から形成されていて、第１平行脚３１ａの長手方向の中央より少しプランター上端側で、端部が第１平行脚３１ａにそれぞれ溶接固定されている。
【００２６】
２本の上部補強バー３１ｄは、第１係止受部３１ｂと同じ長さの鋼管から形成されていて、第１係止受部３１ｂと第１容器部受部材支持バー３１ｃとの間で等間隔に配置され、端部が第１平行脚３１ａにそれぞれ溶接固定されている。
下部補強バー３１ｅは、第１係止受部３１ｂと同じ長さの鋼管から形成されていて、１平行脚３１ａの下端側で端部が第１平行脚３１ａにそれぞれ溶接固定されている。
【００２７】
第２脚部材３２は、一対の第２平行脚３２ａと、第２係止受部３２ｂと、第２容器部受部材支持バー３２ｃと、２本の上部補強バー３２ｄと、下部補強バー３２ｅを備えている。
２本の第２平行脚３２ａは、鋼管から形成されていて、上端に樹脂頭部キャップ３６、下端に樹脂脚部キャップ３７がはめ込まれている。
【００２８】
第２係止受部３２ｂは、第１係止受部３１ｂより少し長い鋼管から形成されていて、２本の第２平行脚３２ａの一端（プランターの上端側）近傍で端部が第２平行脚３２ａにそれぞれ溶接固定されている。
第１容器部受部材支持バー３１ｃは、第２係止受部３２ｂと同じ長さの鋼管から形成されていて、第１平行脚３１ａの長手方向の中央より少しプランター上端側で、端部が第２平行脚３２ａにそれぞれ溶接固定されている。
【００２９】
２本の上部補強バー３２ｄは、第２係止受部３２ｂと同じ長さの鋼管から形成されていて、第２係止受部３２ｂと第２容器部受部材支持バー３２ｃとの間で等間隔に配置され、端部が第２平行脚３２ａにそれぞれ溶接固定されている。
下部補強バー３２ｅは、第１係止受部３２ｂと同じ長さの鋼管から形成されていて、第２平行脚３２ａの下端側で端部が第２平行脚３２ａにそれぞれ溶接固定されている。
そして、第１脚部材３１および第２脚部材３２は、２つの第１平行脚３１ａが第２脚部材３２の第２平行脚３２ａの間にはまり込むとともに、第１容器部受部材支持バー３１ｃより下方で第１平行脚３１ａと第２平行脚３２ａとがボルトとナットからなる連結軸３８によって軸支されている。
【００３０】
そして、脚部本体部材３は、搬送時や不使用時等においては、図７に示すように、第１平行脚３１ａと第２平行脚３２ａの交差角が数度以下の略扁平な状態に折り畳むこととができる。
なお、ボルトとナットとは必要に応じて解締できる。したがって、脚部本体部材３は、連結軸３８用のボルトを取り外すことによって、第１脚部材３１と、第２脚部材３２とを分離できるようになっている。
【００３１】
第１位置規制リンク３３は、同じ長さの２枚の第１リンク板３３ａが一端同士を回動自在に軸支されているとともに、一方の第１リンク板３３ａの他端が第１平行脚３１ａの第１係止受部３１ｂと同じ高さ位置に軸支され、他方の第１リンク板３３ａの他端が第２平行脚３２ａの第２係止受部３２ｂと同じ高さ位置にボルトをねじ込むことによって軸支されている。
すなわち、第１位置規制リンク３３は、上記ボルトを緩め取り外すことによって第１平行脚３１ａおよび第２平行脚３２ａから分離できるようになっている。
また、２枚の第１リンク板３３ａの長手方向の寸法は、その長手軸がほぼ平行となるよる伸長状態で、第１平行脚３１ａと第２平行脚３２ａとの交差角が、第１係止受部３１ｂと第２係止受部３２ｂとの距離が、容器部１１を短手方向の上縁幅より少し長い状態となる交差角で止まるように位置規制できる長さに設定されている。
【００３２】
第２位置規制リンク３４は、第１リンク板３３ａより短い長さの２枚の第２リンク板３４ａが一端同士を回動自在に軸支されているとともに、一方の第２リンク板３４ａの他端が第１平行脚の下側の補強バー３１ｄと同じ高さ位置に軸支され、他方の第２リンク板３４ａの他端が第２平行脚の下側の補強バー３１ｄと同じ高さ位置にボルトをねじ込むことによって軸支されている。
すなわち、第２位置規制リンク３４は、上記ボルトを緩め取り外すことによって第１平行脚３１ａおよび第２平行脚３２ａから分離できるようになっている。
また、２枚の第２リンク板３４ａの長手方向の寸法は、その長手軸がほぼ平行となるよる伸長状態で、第１平行脚３１ａと第２平行脚３２ａとの交差角が、第１係止受部３１ｂと第２係止受部３２ｂの距離が、容器部１１を短手方向の上縁幅より少し長い状態となる交差角で止まるように位置規制できる長さに設定されている。
【００３３】
容器部受部材４は、ステンレス鋼丸棒材または亜鉛メッキ鋼丸棒材からなり、等間隔に配置され、横桟部４１ａの両側に係止爪部４１ｂを有する５つの横桟４１と、横桟部４１ａに等間隔で固定された、３本の縦桟４２とからなる格子状をしている。
そして、容器部受部材４は、各横桟４１の横桟部４１ａが第1容器部受部材支持バー３１ｃと第２容器部受部材支持バー３２ｃとに下側から受けられ、係止爪部４１ｂが第1容器部受部材支持バー３１ｃおよび第２容器部受部材支持バー３２ｃに係止されて横ズレが防止されるようになっている。
【００３４】
縦桟４２は、容器部１１の底を受けるようになっている。
すなわち、容器部１１の底にかかる培養土の荷重が、この容器部受部材４を介して第1容器部受部材支持バー３１ｃと第２容器部受部材支持バー３２ｃによって受けられるようになっている。
【００３５】
このプランターＡは、上記のようになっており、使用にあたっては、まず、図２に示すように、脚部本体部材３を第１平行脚３１ａと第２平行脚３２ａとの交差角が最大となる、すなわち、第１位置規制リンク３３および第２位置規制リンク３４が伸長状態となるようにしたのち、床、玄関先、庭等の載置面に樹脂脚部キャップ３７が受けられるように設置する。
なお、軸となるボルトを取り外して第１脚部材３１、第２脚部材３２、第１位置規制リンク３３および第２位置規制リンク３４が分解状態である場合は、上記設置前に予めボルトナットを用いて脚部本体部材３を組み立てておく。
【００３６】
つぎに、脚部本体部材３の第1容器部受部材支持バー３１ｃと第２容器部受部材支持バー３２ｃと間で容器部受部材４を支持させる。
そして、プランター本体１の容器部１１の底を、容器部受部材４に受けさせるとともに、脚部係止部１２〜１５を、それぞれ容器部１１の外層１１ａ側に折り返し、対応する外層１１ａの面状ファスナーのフック材（またはループ材）１６と面状ファスナーのループ材（またはフック材）１７とを重ね合わせて係合し、固着状態にする。
【００３７】
すなわち、この固着によって、脚部係止部１２および脚部係止部１４が第１位置規制リンク３３にそれぞれ係止された状態になり、脚部係止部１３が第２係止受部３２ｂに係止された状態になり、脚部係止部１５が第１係止受部３１ｂに係止された状態になる。
そして、このプランターＡを庭や、玄関ポーチ、床等の設置面に設置した状態で容器部１１内に培養土をいれ、図８に示すように、草花Ｆを植栽する。
なお、このプランターＡの場合、容器部１１の上縁のプランター設置面からの高さは、車椅子に乗った人も植栽された草花Ｆの世話が可能な高さ（例えば、６５〜８０ｃｍ）になっている。
【００３８】
このプランターＡは、上記のようになっており、以下のような優れた性能を備えている。
（１）プランター本体１が、透水性および通気性を有する折り畳み可能なシート状材料であるシート状不織布と、メッシュシートで形成されているので、搬送時や不使用時などには、プランター本体１を容易にコンパクトに折り畳める。
（２）プランター本体１が支持脚部２を介して容器部１１の底の下方に通気空間を形成するように設けられているので、容器部１１内に多量に散水しても余剰の水は、概念的にあらわす図９（a）に示すとおり、容器部１１の底全体から排水される。勿論、容器部１１の側壁からも一部排水される。そして、外層１１aが保水性の高い不織布で形成されているので、散水された水が徐々に排水され、水が培養土５に万遍なく行き渡りやすい。
（３）ある程度排水されると、容器部１１の側周壁全体にわたって通気性が確保され、底に排水孔１１０が設けられているだけで、その他の部分は通気性のない図９（ｂ）に示す従来のプランター１００に比べて培養土に効率よく通気させることができる。したがって、鉢底石１２０を底に敷き並べなくても根腐れ等を起こすことなく草花Ｆが生育する。
また、鉢底石１２０を入れなくてもよいので、培養土５の入れ替え作業が容易となるとともに、使用済みの培養土５と鉢底石１２０とを分離する等の手間が不要である。
（４）脚部本体部材３が、搬送時や不使用時等において、第１平行脚３１ａと第２平行脚３２ａの交差角が数度以下の略扁平な状態に折り畳むこととができるので、搬送時や不使用時にはコンパクトになる。
（５）容器部１１の外層１１ａが不織布で形成されているので、保水性に優れ、容器部１１に散水された余剰の水が外層１１ａに保水される。したがって、長時間容器部１１内の培養土を程度な湿度に保持することができ、植物の生育を安定させることができるとともに、散水回数を少なくすることができる。
（６）外層１１ａより強度が高いメッシュシートからなる内層１１ｂを備えているので、容器部１１内の培養土から容器部１１の内面にかかる荷重がこの内層１１ｂによって受けられ、外層１１ａを薄肉化したり、外層１１ａに強度的には弱くても保水効果の高い不織布を用いたりすることができる。
（７）脚部係止部１２、１４がそれぞれ第１位置規制リンク３３のほぼ全長にわたって覆うようになるとともに、フック材（またはループ材）１６とループ材（またはフック材）１７とによって、脚部係止部１２，１４の先端部がしっかりと固着された状態に保持されるので、第１位置規制リンク３３の、中間の関節部である，第１リンク板３３ａと第１リンク板３３ａとの軸支部での回動を抑止することができる。したがって、脚部本体部材３を持ってプランターＡの設置位置をずらそうとしたときに、第１脚部材３１と第２脚部材３２とが折り畳み方向（第１配向脚３１ａと第２平行脚３２ａの公差角が小さくなる方向）に動き、容器部１１が変形して植栽された草花Ｆに影響を及ぼすというおそれが少なくなる。
なお、このプランターＡは、基本的に鉢底石を入れる必要がないが、植栽する植物や使用者の好みにより、培養土を容器部１１内に入れる前に鉢底石を容器部１１の底に入れておくようにしても構わない。
【００３９】
本発明は、上記の実施の形態に限定されない。例えば、上記の実施の形態では、容器部の外層と内層との２層であったが、外層と内層との間に引張強度は低いが保水性能が高い材料層を設けるようにしても構わない。
上記の実施の形態では、面状ファスナーで脚部係止部を容器部外壁に固着するようにしていたが、スナップボタンでも構わない。
【００４０】
上記の実施の形態では、第１平行脚と第２平行脚の連結軸よりプランター上側にのみ位置規制リンクが設けられていたが、連結軸の下側にも設けるようにしても構わない。
上記の実施の形態では、容器部が平面視長方形の開口を有する長四角錘台形状であったが、直方体形状や円筒形状であっても構わない。
【００４１】
（実験１）
図１のプランターＡに鉢底石を容器部１１の底に敷いていない状態で、ベゴニアを５０日栽培した。
（比較実験１）
鉢底石を敷いた素焼き製プランターを図１のプランターの容器部の底と同じように格子状の台で設置面との間に通水空間をあけた状態にして、ベゴニアを８２日間栽培した。
（比較実験２）
鉢底石を敷いたプラスチック製プランターを図１のプランターの容器部の底と同じように格子状の台で設置面との間に通水空間をあけた状態にして、ベゴニアを８２日間栽培した。
８２日後に、実験１、比較実験１、２で栽培したベゴニアを各プランターから抜き取り、花部分および根の生育状態を調べたところ、生育状況の差に大きな相違はなかったが、図１のプランターＡを用いた場合の方が、根の生育状況が若干よかった。また、プラスチック製プランターを用いたものでは白かびの発生がみられた。
【００４２】
（実験２）
図１のプランターＡに鉢底石を容器部１１の底に敷いていない状態で、中玉トマトを８２日間栽培した。
（比較実験３）
鉢底石を敷いた素焼き製プランターを図１のプランターの容器部の底と同じように格子状の台で設置面との間に通水空間をあけた状態にして、中玉トマトを８２日間栽培した。
（比較実験４）
鉢底石を敷いたプラスチック製プランターを図１のプランターの容器部の底と同じように格子状の台で設置面との間に通水空間をあけた状態にして、中玉トマトを８２日間栽培した。
８２日後に、実験２、比較実験３、４で栽培した中玉トマトを各プランターから抜き取り、根の生育状態を調べたところ、実験２で栽培した中玉トマトの根の最大長さが１６５ｃｍであったのに対し、比較実験３で栽培した中玉トマトの根の最大長さは１０５ｃｍ、比較実験４で栽培した中玉トマトの根の最大長さは１４５ｃｍであった。
【符号の説明】
【００４３】
Ａ  プランター
１  プランター本体
１１  容器部
１１ａ  外層
１１ｂ  内層
１２〜１５  脚部係止部
１６  フック材（またはループ材）
１７  ループ材（またはフック材）
２  支持脚部
３  脚部本体部材
３１  第１脚部材
３１ａ  第１平行脚
３１ｂ  第１係止受部
３１ｃ  第１容器部受部材支持バー
３１ｄ  上部補強バー
３１ｅ  下部補強バー
３２  第２脚部材
３２ａ  第２平行脚
３２ｂ  第２係止受部
３２ｃ  第２容器部受部材支持バー
３２ｄ  上部補強バー
３２ｅ  下部補強バー
３３  第１位置規制リンク
３３ａ  第１リンク板
３４  第２位置規制リンク
３４ａ  第２リンク板
３６  頭部樹脂キャップ
３７  脚部樹脂キャップ
４  容器部受部材
４１  横桟
４１ａ  横桟部
４１ｂ  係止爪部
４２  縦桟
Ｆ  草花
【図１】
2015092842.tif 000003
【図２】
2015092842.tif 000004
【図３】
2015092842.tif 000005
【図４】
2015092842.tif 000006
【図５】
2015092842.tif 000007
【図６】
2015092842.tif 000008
【図７】
2015092842.tif 000009
【図８】
2015092842.tif 000010
【図９】
2015092842.tif 000011